(57)【要約】【課題】クッションシートの厚さを薄くして軽く、かつ外観を薄く見せる椅子においても、体圧分散性が良く、かつ、骨盤の回転を抑制し直立姿勢に近い脊椎Ｓ字カーブを維持できる椅子を提供する。【解決手段】一対の側枠２ａ、２ｂと、該側枠２ａ、２ｂ間に配置した布バネ３と、該側枠２ａ、２ｂと該布バネ３との間に設けられて、布バネ３を側枠方向に付勢する付勢手段４とからなることを特徴とする椅子。【選択図】図１
2006122309.tif 000002
【特許請求の範囲】
【請求項１】
一対の側枠と、該側枠間に配置した布バネと、該側枠と該布バネとの間に設けられて、布バネを側枠方向に付勢する付勢手段とからなることを特徴とする椅子。
【請求項２】
前記布バネを、椅子の背部のみ、又は座部のみ、又は背部と座部の双方に配置したことを特徴とする請求項１記載の椅子。
【請求項３】
前記布バネの幅方向両端部に取付具を設け、該取付具を介して該布バネと前記付勢手段とを係合させたことを特徴とする請求項１又は２記載の椅子。
【請求項４】
椅子の背部に設けた前記布バネにおける前記取付具の下側端部と、椅子の座部に設けた前記布バネにおける前記取付具の後側端部とを連結したことを特徴とする請求項３記載の椅子。
【請求項５】
椅子の背部に設けた前記布バネにおける前記取付具の下側端部と、椅子の座部に設けた前記布バネにおける前記取付具の後側端部とを回動可能に連結したことを特徴とする請求項３記載の椅子。
【請求項６】
椅子の背部に設けた前記布バネにおける前記取付具を、椅子に人が着席した際の人の背部から腰部までの基本ラインに近似したラインに形成したことを特徴とする請求項３乃至５のいずれかに記載の椅子。
【請求項７】
椅子の座部に設けた前記布バネにおける前記取付具を、椅子に人が着席した際の人の臀部から膝までの基本ラインに近似したラインに形成したことを特徴とする請求項３乃至６のいずれかに記載の椅子。
【請求項８】
前記取付具がワイヤーフレームであることを特徴とする請求項３乃至７のいずれかに記載の椅子。
【請求項９】
前記付勢手段がコイルスプリングであることを特徴とする請求項１乃至８のいずれかに記載の椅子。
【請求項１０】
椅子の背部に設けた前記付勢手段の前記側枠への取付け位置を、椅子に人が着席した際の背部から腰部までの基本ライン上としたことを特徴とする請求項１乃至９のいずれかに記載の椅子。
【請求項１１】
椅子の座部に設けた前記付勢手段の前記側枠への取付け位置を、椅子に人が着席した際の臀部から膝部までの基本ライン上としたことを特徴とする請求項１乃至１０のいずれかに記載の椅子。
【発明の詳細な説明】
【技術分野】
【０００１】
本発明は、椅子に関するものである。
【背景技術】
【０００２】
従来、椅子のクッションシートとして、コイルバネやＳバネの上にネット又はフエルトを置き、その上にウレタンフォーム等の緩衝材を置いて、上張り布を張っているものがある。このものにおいては、クッションシートの厚さが分厚くなり、重量が重くスペースをとるという問題があった。
【０００３】
上記の問題を解決し、クッションシートが薄く、軽く、スペースを取らないクッション構造体として、布バネを椅子のフレームに直接取り付けた椅子のクッション構造体が提案されている（特許文献１参照）。これを第１の従来の技術とする。
【０００４】
また、クッションフレームの左右から引っ張りバネを介してサポートを水平状に張架するクッション構造体も提案されている（特許文献２参照）。これを第２の従来の技術とする。
【特許文献１】特開平１１−５６５２２号公報
【特許文献２】実開昭６２−４２４５３号公報
【発明の開示】
【発明が解決しようとする課題】
【０００５】
前記第1の従来技術においては、布バネの伸縮のみで荷重を支えるため、中央部のみが沈み込み、外縁部は椅子のフレームに固定されているためにあまり伸縮せず（沈み込まず）体圧分散性が良くない。また、椅子に座ったときに臀部が沈み込み過ぎるため、直立姿勢に近い脊椎Ｓ字カーブを維持しにくく、骨盤が回転してしまい猫背になりやすいという問題点がある。
【０００６】
また、前記第２の従来技術においては、板状のサポートが平行に移動したり、傾くように移動したりするのみで、座面が身体にフィットしにくく体圧分散性がよくない。また、背面と座面の角度も変化しやすく、座り姿勢（骨盤の角度）を保つことができないという問題点がある。
【０００７】
そこで、本発明は、これらの問題を解決する椅子を提供することを目的とするものである。
【課題を解決するための手段】
【０００８】
前記の課題を解決するために、請求項１記載の発明は、一対の側枠と、該側枠間に配置した布バネと、該側枠と該布バネとの間に設けられて、布バネを側枠方向に付勢する付勢手段とからなることを特徴とするものである。
【０００９】
請求項２記載の発明は、請求項１記載の発明において、前記布バネを、椅子の背部のみ、又は座部のみ、又は背部と座部の双方に配置したことを特徴とするものである。
【００１０】
請求項３記載の発明は、請求項１又は２記載の発明において、前記布バネの幅方向両端部に取付具を設け、該取付具を介して該布バネと前記付勢手段とを係合させたことを特徴とするものである。
【００１１】
請求項４記載の発明は、請求項３記載の発明において、椅子の背部に設けた前記布バネにおける前記取付具の下側端部と、椅子の座部に設けた前記布バネにおける前記取付具の後側端部とを連結したことを特徴とするものである。
【００１２】
請求項５記載の発明は、請求項３記載の発明において、椅子の背部に設けた前記布バネにおける前記取付具の下側端部と、椅子の座部に設けた前記布バネにおける前記取付具の後側端部とを回動可能に連結したことを特徴とするものである。
【００１３】
請求項６記載の発明は、請求項３乃至５のいずれかに記載の発明において、椅子の背部に設けた前記布バネにおける前記取付具を、椅子に人が着席した際の人の背部から腰部までの基本ラインに近似したラインに形成したことを特徴とするものである。
【００１４】
請求項７記載の発明は、請求項３乃至６のいずれかに記載の発明において、椅子の座部に設けた前記布バネにおける前記取付具を、椅子に人が着席した際の人の臀部から膝までの基本ラインに近似したラインに形成したことを特徴とするものである。
【００１５】
請求項８記載の発明は、請求項３乃至７のいずれかに記載の発明において、前記取付具がワイヤーフレームであることを特徴とするものである。
【００１６】
請求項９記載の発明は、請求項１乃至８のいずれかに記載の発明において、前記付勢手段がコイルスプリングであることを特徴とするものである。
【００１７】
請求項１０記載の発明は、請求項１乃至９のいずれかに記載の発明において、椅子の背部に設けた前記付勢手段の前記側枠への取付け位置を、椅子に人が着席した際の背部から腰部までの基本ライン上としたことを特徴とするものである。
【００１８】
請求項１１記載の発明は、請求項１乃至１０のいずれかに記載の発明において、椅子の座部に設けた前記付勢手段の前記側枠への取付け位置を、椅子に人が着席した際の臀部から膝部までの基本ライン上としたことを特徴とするものである。
【発明の効果】
【００１９】
本発明によれば、座ったときや座り姿勢の変化などの大きな荷重の変位や、個人の身長差の違いによる布バネの変位は、主に付勢手段により行なわれ、身体のラインへの追従は主に布バネ自体の伸縮により行うことで、体圧分散性が良い椅子を提供できる。
【００２０】
前記第１の従来技術のように布バネが直接側枠に固定されていないので、布バネの中央部のみが大きく沈み込まず、人の座り姿勢のラインに沿って布バネ全体が変形するために、均等な力で布バネが身体を支えるために体圧分散性がよい。
【００２１】
また、従来のようなコイルバネやＳバネの上にシート材を置くものに比べて、クッションシートの厚さを薄くすることができ、軽く、かつ外観を薄く見せる椅子において特に有効である。
【００２２】
また、布バネと側枠との間隔（隙間）を調節することで、布バネと付勢手段の左右方向のテンションを調整できる。つまり、身体の各部位に合わせて布バネを左右方向に強弱をつけて引っ張ることができるので、より体圧分散性が良くなる。
【００２３】
さらに請求項３の発明によれば、布バネに取付具を介して均等にテンションを伝えることができ、付勢手段から布バネにかかる負荷を分散できる。また、布バネを横方向（左右方向）に均等な力で引張る為に布バネの左右方向のテンションにムラがなく、より体圧分散性が良くなる。
【００２４】
さらに請求項４の発明によれば、座部の後部（臀部）の沈み込む量にあわせて、背部が沈み込むために、背部の腰部にあたる位置が第４、第５腰椎回りをサポートし骨盤の回転を抑え、直立姿勢に近い脊椎Ｓ字カーブを維持し理想的な座り姿勢に近づけることができる。
【００２５】
さらに、請求項５の発明によれば、座り姿勢が変化しても、姿勢変化に追従して、座部と背部が連動して動くために理想的な座り姿勢のラインから大きく離れることがない。
【００２６】
さらに、請求項６、７、１０、１１の発明によれば、布バネの形状を椅子に人が着席した際の基本ラインに近づけたことで、座ったときのフィット感を向上させ、かつ、体圧分散性をより向上できる。
【００２７】
さらに、請求項８の発明によれば、取付具をワイヤーフレームとしたことで、取付具の形状が変化しにくく、長時間使用しても椅子の理想的な座り姿勢のラインが変化しない。
【００２８】
さらに、請求項９の発明によれば、付勢手段をコイルスプリングとしたことで、付勢手段の強度を確保できる。  
【発明を実施するための最良の形態】
【００２９】
本発明を実施するための最良の形態を図に示す実施例に基づいて説明する。
【実施例１】
【００３０】
図１及び図９は実施例１を示す。
図１は、本発明の椅子のクッション構造１の斜視図、図２は図１のＡ−Ａ線断面斜視図、図３は図１のＡ−Ａ線断面図である。
【００３１】
椅子のクッション構造部１は、図１に示すように、一対の側枠２ａ、２ｂと、該一対の側枠２ａ、２ｂ間に設けた弾性繊維を用いた布バネ３と、布バネ３と側枠２ａ、２ｂ間に設けられた、付勢手段であるコイルスプリング４からなる。
【００３２】
左右の側枠２ａ、２ｂは、本実施例１では木製であるが、金属製でもよい。側枠２ａ、２ｂ間には、横枠（棧）８ａ、８ｂ、８ｃが設けられている。横枠８ａ、８ｂ、８ｃは着席側と反対の外側に向かって湾曲している。
【００３３】
側枠２ａ、２ｂ間に設けられた布バネ３は、背部側においては少なくとも椅子の上下（縦）方向、座部側においては少なくとも前後方向に伸縮性を有するもので、左右（幅）方向の伸縮性は有しても、有しなくても良く、例えば、ミリケン・アンド・カンパニー社のジェムストーンやデュポン社のダイメトロール（商標)を使用することができる。また、布バネ３は、背部の布バネ３ａと座部の布バネ３ｂの２枚で形成されている。なお、背部の布バネ３ａと座部の布バネ３ｂとを１枚の布バネで形成しても良い。
【００３４】
また、付勢手段として、コイルスプリング４以外にもゴムなどの弾性体を用いても良い。
【００３５】
次に、側枠２ａ、２ｂと布バネ３とコイルスプリング４との関係について詳しく述べる。
【００３６】
側枠２ａ、２ｂは、図１及び図２に示すように、椅子に人が着席した際の背部から腰部の基本ライン（理想ライン）に沿って形成した背部の内枠６ａ、６ｂと、臀部から膝部までの基本ラインに沿って形成した座部の内枠６ｃ、６ｄと、これらの内枠の外側に設けた外枠７ａ、７ｂから構成されている。前記横枠８ａは背部の内枠６ａ、６ｂ間の上部に、前記横枠８ｂは座部の内枠６ｃ、６ｄ間の後端部に、前記横枠８ｃは座部の内枠６ｃ、６ｄ間の前端部に設けられている。座部の布バネ３ｂと、座部の内枠６ｃ、６ｄの前端部に設けられた横枠８ｃとの間にはウレタン９が設けられている。なお、ウレタン９は設けなくてもよい。
【００３７】
また、背部の布バネ３ａの下端部３ｃと座部の布バネ３ｂの後端部３ｄは、座部の内枠６ｃ、６ｄの後端部に設けられた横枠８ｂに止められ、座部の布バネ３ｂの前端部３ｅは、前記ウレタン９を覆い、座部の内枠６ｃ、６ｄの前端部に設けられた横枠８ｃに止められている。なお、背部の布バネ３ａの下端部３ｃ付近と座部の布バネ３ｂの後端部３ｄ付近を縫い合わせても良い。
【００３８】
背部の布バネ３ａの幅方向（左右方向）両端部３ｅ、３ｆには、その端部に沿って取付具であるワイヤーフレーム５ａ、５ｂが、図５に示すように布バネ３ａ、３ｂの縫合又はウエルド溶着等によって取り付けられている。同様に、座部の布バネ３ｂの幅方向両端部３ｇ、３ｈには、取付具であるワイヤーフレーム５ｃ、５ｄが取り付けられている。ここで、ワイヤーフレーム５ａ、５ｂ、５ｃ、５ｄとは、鋼線と同等かそれ以上の強度をもつものをいう。
【００３９】
また、各ワイヤーフレーム５ａ、５ｂ、５ｃ、５ｄは、図１及び図６に示すように、布バネの各端部の略全長にわたる１本のワイヤーフレームで形成されている。
【００４０】
また、側枠２ａ、２ｂの背部の内枠６ａ、６ｂの前側部には、図４及び図５に示すように、取付穴１０が所定の間隔で設けられ、該取付穴１０上を通るように背部の内枠６ａ、６ｂの前部に取付ワイヤー１１ａ、１１ｂが止具（タッカー）２０により取り付けられている。同様に、側枠２ａ、２ｂの座部の内枠６ｃ、６ｄの上側部に取付穴１０が設けられ、該取付穴１０上を通るように座部の内枠６ｃ、６ｄの上部に取付ワイヤー１１ｃ、１１ｄが止具（タッカー）２０により取り付けられている。
【００４１】
コイルスプリング４の一端は、前記ワイヤーフレーム５ａ、５ｂ、５ｃ、５ｄに引っ掛けられており、布バネ３ａ、３ｂとコイルスプリング４は、ワイヤーフレーム５ａ、５ｂ、５ｃ、５ｄを介して係合している。一方、コイルスプリング４の他端は、前記取付穴１０の前部又は上部を通る取付ワイヤー１１ａ、１１ｂ、１１ｃ、１１ｄに引っ掛けられており、コイルスプリング４と側枠２ａ、２ｂは、取付ワイヤー１１ａ、１１ｂ、１１ｃ、１１ｄを介して係合している。このコイルスプリング４は、背部の布バネ３ａの上下方向に適宜間隔を有して複数個設けられ、座部の布バネ３ｂの前後方向に適宜間隔を有して複数個設けられている。このコイルスプリング４により、布バネ３ａ、３ｂを、その幅方向（左右方向）の外側、すなわち、側枠２ａ、２ｂ方向へ付勢している。
【００４２】
背部の布バネ３ａの幅方向両端部３ｅ、３ｆに取り付けられたワイヤーフレーム５ａ、５ｂの下端部と、座部の布バネ３ｂの幅方向両端部３ｇ、３ｈに取り付けられたワイヤーフレーム５ｃ、５ｄの後側端部は、図６及び図７に示すように、ねじ１２及びナット１２ａにより回動可能に連結されている。
【００４３】
また、背部の布バネ３ａの幅方向両端部３ｅ、３ｆに設けられたワイヤーフレーム５ａ、５ｂは、任意の形状に設定できるが、図６に示すような、椅子に人が着席した際の人の背部から腰部までの基本ラインに沿った（基本ラインに近似した）形状に、また、座部の布バネ３ｂの幅方向両端部３ｇ、３ｈに設けられたワイヤーフレーム５ｃ、５ｄは、図６に示すような、椅子に人が着席した際の人の臀部から膝までの基本ラインに沿った（基本ラインに近似した）形状に形成するとよい。このような形状にワイヤーフレーム５ａ、５ｂ、５ｃ、５ｄを形成することで、布バネ３ａ、３ｂが、椅子に人が着席した際の人の基本ラインに沿って（近似して）形成される。
【００４４】
前記背部の内枠６ａ、６ｂ及び取付フレーム１１ａ、１１ｂは、図６に示すような背部のワイヤーフレーム５ａ、５ｂの形状に沿って形成され、また、前記座部の内枠６ｃ、６ｄ及び取付フレーム１１ｃ、１１ｄは、図６に示すような座部のワイヤーフレーム５ｃ、５ｄの形状に沿って形成されている。したがって、各コイルバネ４は、前記ワイヤーフレーム５ａ、５ｂ、５ｃ、５ｄのラインに沿って配置されている。
【００４５】
なお、ワイヤーフレーム５ａ、５ｂ、５ｃ、５ｄを図６のような滑らかな曲線のラインに形成するとよいが、このような曲線に形成することは、製造上のコストがかかる。そのため、本実施例においては、背部の布バネ３ａの幅方向両端部３ｅ、３ｆに設けられたワイヤーフレーム５ａ、５ｂは、図８に示すように、椅子に人が着席した際の人の背部から腰部までの基本ラインに近似して直線が連続するように折り曲げたラインに形成し、また、座部の布バネ３ｂの幅方向両端部３ｇ、３ｈに設けられたワイヤーフレーム５ｃ、５ｄを、直線に形成した。
【００４６】
このような形状としても、側枠２ａ、２ｂの背部の内枠６ａ、６ｂ及び座部の内枠６ｃ、６ｄが、前述のように椅子に人が着席した際の背部から腰部の基本ライン及び臀部から膝部までの基本ラインに沿って形成されているとともに、コイルスプリング４の側枠２ａ、２ｂ側の取り付け位置が、その基本ラインの形状に沿って取り付けられているため、ワイヤーフレーム５ａ、５ｂ、５ｃ、５ｄは、コイルスプリング４に付勢されることで、前記基本ラインに近い形状に補正され、布バネ３ａ、３ｂも、基本ラインに近い形状に形成される。
【００４７】
前記布バネ３の表面側には、例えば図９に示すような、不織布１５、ウレタン１６、表皮材１７を設ける、そして、側枠２ａ、２ｂなどの体裁を整えるとともに支脚などを付設して椅子として使用する。
【００４８】
次に、前記椅子の効果について説明する。
前記布バネ３とコイルスプリング４の２種類のバネ材を使用することで、座ったときや座り姿勢の変化などの大きな荷重の変位や、個人の身長差の違い等の大まかな荷重の分散は、コイルスプリング４により行われる。また、身体のライン等の小さな差異による荷重の分散は、面で支える布バネ３の伸縮により行われることで、荷重をきめ細かく分散し、体圧分散性の良い椅子とすることができる。また、布バネ３と横方向に付設したコイルスプリング４とでバネ材を形成することができるため、クッションシートの厚さを薄くすることができる。したがって、本発明は、軽く、背部と座部を外観上薄くみせる椅子を提供できる。
【００４９】
前記布バネ３ａ、３ｂの幅方向両端部３ｅ、３ｆ、３ｇ、３ｈに設けたワイヤーフレーム５ａ、５ｂ、５ｃ、５ｄにコイルスプリング４を取り付けたことで、布バネ３に幅方向にかかるテンションを布バネ３ａ、３ｂ全体に均等に伝えることができる。また、各コイルスプリング４の長さを一定とし、布バネ３と側枠２ａ、２ｂとの間隔を調整することにより、布バネ３の幅方向のテンションを調整できる。例えば、背部の布バネ３ａにおいて、腰部の布バネ３ａの横幅を狭める（つまり、布バネ３ａと側枠２ａとの間隔を広くする）ことで、腰部における布バネ３ａの幅方向のテンションが高くなり弾力性を硬くすることができる。
【００５０】
また、背部の内枠６ａ、６ｂ及び取付フレーム１１ａ、１１ｂの形状を、図６に示すような、椅子に人が着席した際の人の背部から腰部までの基本ラインに形成し、座部の内枠６ｃ、６ｄ及び取付フレーム１１ｃ、１１ｄの形状を、図６に示すような、椅子に人が着席した際の人の臀部から膝までの基本ラインに形成することで、布バネ３が、椅子に人が着席した際の人の基本ラインに沿って形成されるため、人が座ったときにフィット感を増し、かつ、体圧分散性をより向上できる。
【００５１】
また、背部の布バネ３ａの幅方向両端部３ｅ、３ｆに取り付けられたワイヤーフレーム５ａ、５ｂの下端部と、座部の布バネ３ｂの幅方向両端部３ｇ、３ｈに取り付けられたワイヤーフレーム５ｃ、５ｄの後側端部を、図７に示すように、ねじ１２により回動可能に連結したので、人の着座姿勢が変化した場合において、背部の布バネ３ａと座部の布バネ３ｂが連動し、椅子に人が着席した際の人の基本ライン（理想ライン）から大きく離れることはない。そのため、理想に近い座り姿勢を維持できる。
【００５２】
また、ワイヤーフレーム５ａ、５ｂと、ワイヤーフレーム５ｃ、５ｄとが前記のように連結されていることで、人が座ったときに臀部の後方を、座部の後方のコイルスプリング４と背部のコイルスプリング４により支えることになり、臀部の後部が沈み込むのを防ぎ、骨盤の回転が抑制される。この骨盤の回転の抑制により直立姿勢に近い脊椎Ｓ字カーブを維持し理想的な座り姿勢とすることができる。また、臀部の沈み込む量にあわせて、背部の布バネ３ａの腰部、及びその部分のコイルスプリング４が沈み込むために、背部の布バネ３ａの腰部にあたる位置が第４、第５腰椎回りをサポートし骨盤の回転を抑え、直立姿勢に近い脊椎Ｓ字カーブを維持し理想的な座り姿勢に近づける。
【実施例２】
【００５３】
図１０は、実施例２を示す。
本実施例２は、前記実施例１における前記内枠６ａ、６ｂ、６ｃ、６ｄ及び取付フレーム１１ａ、１１ｂ、１１ｃ、１１ｄを使用しないで、前記付勢手段４を直接側枠２１ａ、２１ｂ、２２ａ、２２ｂに取り付けるようにしたものである。また、実施例では、各側枠を金属製のパイプを用いているが木製であっても良い。
【００５４】
本実施例２において、金属製のパイプからなる背部の側枠２１ａ、２１ｂの下端には金属製のパイプからなる座部の側枠２２ａ、２２ｂの後端が、水平のピン２３ａにより回転可能に連結されている。また、前記背部の側枠２１ａ、２１ｂの上端には、ヘッドレスト側枠２４ａ、２４ｂの下端が水平のピン２３ｂにより回転可能に連結されている。
【００５５】
前記背部の両側枠２１ａ、２１ｂは、前記実施例１の取付ワイヤー１１ａ、１１ｂの形状（ライン）と同様の形状（ライン）に形成され、また、座部の両側枠２２ａ、２２ｂは、前記実施例１の取付ワイヤー１１ｃ、１１ｄの形状（ライン）と同様の形状（ライン）に形成されている。
【００５６】
前記背部の両側枠２１ａ、２１ｂ間には、その上部に位置して横枠２５ａが架設固着され、下部に位置して横枠２５ｂが架設固着されている。また、前記座部の側枠２２ａ、２２ｂ間には、その後部に位置して横枠２５ｃが架設固着され、前部に位置して側枠２２ａ、２２ｂと一連の横枠２５ｄが設けられている。
【００５７】
前記背部の両側枠２１ａ、２１ｂ間に架設された上記の横枠２５ａと下部の横枠２５ｂ間には、前記実施例１の布バネ３と同様の布バネ３ａが張設されている。また、前記座部の両側枠２２ａ、２２ｂ間には、前記実施例１の布バネ３と同様の布バネ３ｂが張設されている。これらの布バネ３ａ、３ｂの各横枠２５ａ、２５ｂ、２５ｃ、２５ｄに対する取り付けは、布バネ３ａ、３ｂの端部を横枠に巻回して、面ファスナー又は縫合又はウェルド溶着等によって取付けられている。
【００５８】
更に、前記布バネ３ａ、３ｂの幅方向両端部３ｅ、３ｆ、３ｇ、３ｈには、前記と同様の取付具であるワイヤーフレーム５ａ、５ｂ、５ｃ、５ｄが前記と同様な方法により取付けられている。該背部側のワイヤーフレーム５ａ、５ｂと座部側のワイヤーフレーム５ｃ、５ｄは、前記実施例１と同様の材質、形状（ライン）に形成されている。
【００５９】
前記背部の布バネ３ａの幅方向両端部３ｅ、３ｆと背部の両側枠２１ａ、２１ｂ間には、前記と同様な付勢手段であるコイルスプリング４が架設されており、該コイルスプリング４の一端は前記ワイヤーフレーム５ａ、５ｂに引っ掛け、他端は、背部の両側枠２１ａ、２１ｂに形成した取付穴２６に引っ掛けられている。
【００６０】
前記座部の布バネ３ｂの幅方向両端部３ｇ、３ｈと座部の両側枠２２ａ、２２ｂ間には、前記と同様な付勢手段であるコイルスプリング４が架設されており、該コイルスプリング４の一端は前記ワイヤーフレーム５ｃ、５ｄに引っ掛け、他端は、座部の両側枠２２ａ、２２ｂに形成した取付穴２６に引っ掛けられている。このコイルスプリング４により、布バネ３ａ、３ｂを、その幅方向（左右方向）の外側へ付勢している。
【００６１】
このコイルスプリング４は、背部の布バネ３ａの上下方向に適宜間隔を有して複数個設けられ、座部の布バネ３ｂの前後方向に適宜間隔を有して複数個設けられている。
【００６２】
前記ヘッドレスト側枠２４ａ、２４ｂ間には、横枠２７が架設固着されており、これらにヘッドレストが取付けられるようになっている。
【００６３】
そして、側枠やヘッドレスト側枠などの体裁を整えるとともに、支脚などを付設して椅子として使用する。
【００６４】
本実施例２によれば、フレームを金属パイプや木製で簡易に形成する椅子に本発明を適用して、前記実施例１と同様の作用、効果を発揮することができる。
【００６５】
なお、前記各実施例は、椅子の背部と座部の双方に布バネを用いた例であるが、布バネを背部のみに設けて付勢手段により前記のように側枠に取付けてもよく、また、布バネを座部のみに設けて付勢手段により前記のように側枠に取付けてもよい。このようにしても、背部又は座部において前記と同様の効果を発揮できる。
【図面の簡単な説明】
【００６６】
【図１】本発明の実施例１を示す椅子のクッション構造の斜視図。
【図２】図１におけるＡ−Ａ線断面斜視図。
【図３】図１におけるＡ−Ａ線断面図。
【図４】本発明の実施例１の側枠の拡大斜視図。
【図５】図１におけるＢ−Ｂ線断面図。
【図６】本発明の実施例１の理想のワイヤーフレーム形状を示す分解斜視図。
【図７】本発明の実施例１のワイヤーフレームの連結部を示す拡大図。
【図８】本発明の実施例１の背部のワイヤーフレームの横面図。
【図９】本発明の実施例１の椅子の部分横断面図。
【図１０】本発明の実施例２を示す椅子のクッション構造の斜視図。
【符号の説明】
【００６７】
２ａ、２ｂ、２１ａ、２１ｂ、２２ａ、２２ｂ  側枠
３ａ、３ｂ  布バネ
４          付勢手段（コイルスプリング）
５ａ、５ｂ、５ｃ、５ｄ  取付具（ワイヤーフレーム）      
【図１】
2006122309.tif 000003
【図２】
2006122309.tif 000004
【図３】
2006122309.tif 000005
【図４】
2006122309.tif 000006
【図５】
2006122309.tif 000007
【図６】
2006122309.tif 000008
【図７】
2006122309.tif 000009
【図８】
2006122309.tif 000010
【図９】
2006122309.tif 000011
【図１０】
2006122309.tif 000012